(57)【要約】【課題】母子間の接触箇所に冷却効果があり、かつ長時間に亘って冷却効果を維持可能な母子間冷却パッドを提供する。【解決手段】本発明の母子間冷却パッド１０は、空気の吸排気口２２を備え柔軟性のパッド本体２０と、前記パッド本体２０の内部に形成して前記吸排気口２２に一端が接続する空気流通部３０と、前記空気流通部３０の他端に設けて前記空気流通部３０に空気を吸排気する吸排気部４０と、を有することを特徴としている。【選択図】    図１
2018038576.tif 000002
【特許請求の範囲】
【請求項１】
空気の吸排気口を備える柔軟性のパッド本体と、
前記パッド本体の内部に形成して前記吸排気口に一端が接続する空気流通部と、
前記空気流通部の他端に設けて前記空気流通部に空気を吸排気する吸排気部と、
を有することを特徴とする母子間冷却パッド。
【請求項２】
前記パッド本体は、防風性を備えた生地で前記空気流通部を間に挟んで形成していることを特徴とする請求項１に記載の母子間冷却パッド。
【請求項３】
前記パッド本体は、母子との接触面に接触冷感のある生地を配置していることを特徴とする請求項１または２に記載の母子間冷却パッド。
【請求項４】
ベビーキャリアへ着脱可能な着脱部をパッド本体に備えたことを特徴とする請求項１ないし３のいずれか１項に記載の母子間冷却パッド。
【請求項５】
請求項１ないし３のいずれか１項に記載の母子間冷却パッドを、キャリア本体の母子側に着脱可能又は一体的に備えたことを特徴とするベビーキャリア。
【発明の詳細な説明】
【技術分野】
【０００１】
本発明は、使用者と乳幼児の間（母子間）に配置する母子間冷却パッド、及びそれを備えたベビーキャリアに関する。
【背景技術】
【０００２】
使用者が乳幼児を背負ったり又は抱いたりして保持する際に用いるベビーキャリアがある。従来、ベビーキャリアは使用者と乳幼児が密着する箇所に、熱がこもり温度が上昇して暑くなったり、発汗又は湿気が上昇して蒸れたりして、特に夏場などは長時間使用すると不快なことがあった。
【０００３】
特許文献１には、通気性のある空気層を形成した織布本体を母子間に配置して母子間の断熱効果を維持する母子間緩衝パッドが開示されている。
【０００４】
特許文献２には、送風源と、送風源が接続する複数のチューブが並列一体化されてシート状に成形された通風路を備えた座席用通風装置が開示されている。
【先行技術文献】
【特許文献】
【０００５】
【特許文献１】特開２０１２−１１０４１７号公報
【特許文献２】特許第４９９９４５５号公報
【発明の概要】
【発明が解決しようとする課題】
【０００６】
特許文献１に開示のパッドは、母子間の空気層である程度の通気性を確保することができるが、形状又は材質のみでは断熱効果に限界がある。また装着後に直ちに冷却できるなどの即効性がない。
【０００７】
また特許文献２に開示の装置は、オレフィン系熱可塑性エラストマー性のチューブを用いているため、通気性に乏しく、かつ硬さがあり、柔軟性が求められる母子間の配置には適さない。
【０００８】
そこで本発明は、上記従来技術の問題点に鑑み、母子間の接触箇所に冷却効果があり、かつ長時間に亘って冷却効果を維持可能な母子間冷却パッドを提供することを目的としている。
【課題を解決するための手段】
【０００９】
上記の課題を解決するための第１の手段として、本発明は、空気の吸排気口を備える柔軟性のパッド本体と、前記パッド本体の内部に形成して前記吸排気口に一端が接続する空気流通部と、前記空気流通部の他端に設けて前記空気流通部に空気を吸排気する吸排気部と、を有することを特徴とする母子間冷却パッドを提供することにある。
上記第１の手段によれば、母子間に空気流通部を形成して強制的に吸排気しているため、温度上昇を抑えて冷却効果を高めることができる。また冷却効果を長時間維持することができる。
【００１０】
上記の課題を解決するための第２の手段として、本発明は、前記第１の手段において、前記パッド本体は、防風性を備えた生地で前記空気流通部を間に挟んで形成していることを特徴とする母子間冷却パッドを提供することにある。
上記第２の手段によれば、上記第１の手段の効果に加えてさらに冷却効果を高めることができる。
【００１１】
上記の課題を解決するための第３の手段として、本発明は、前記第１又は第２の手段において、前記パッド本体は、母子との接触面に接触冷感のある生地を配置していることを特徴とする母子間冷却パッドを提供することにある。
上記第３の手段によれば、上記第１の手段の効果に加えてさらに冷却効果を高めることができる。
【００１２】
上記の課題を解決するための第４の手段として、本発明は、前記第１ないし第３のいずれか１の手段において、ベビーキャリアへ着脱可能な着脱部をパッド本体に備えたことを特徴とする母子間冷却パッドを提供することにある。
上記第４の手段によれば、既存のベビーキャリアであっても容易に取り付けることができる。
【００１３】
上記の課題を解決するための第５の手段として、本発明は、前記第１ないし第４のいずれか１の手段の母子間冷却パッドを、キャリア本体の母子間側に着脱可能又は一体的に備えたことを特徴とするベビーキャリアを提供することにある。
上記第５の手段によれば、母子間に配置する母子間冷却パッドの空気流通部を強制的に吸排気しているため、温度上昇を抑えて冷却効果を高めることができる。
【発明の効果】
【００１４】
本発明の母子間冷却パッドによれば、母子間に配置する空気流通部を強制的に吸排気しているため、温度上昇を抑えて冷却効果を高めることができる。また冷却効果を長時間維持することができる。また既存のベビーキャリアに容易に取り付けることができる。
【００１５】
本発明のベビーキャリアによれば、母子間に配置する空気流通部を強制的に吸排気しているため、温度上昇を抑えて冷却効果を高めることができる。
【図面の簡単な説明】
【００１６】
【図１】本発明の母子間冷却パッドの説明図である。
【図２】本発明のベビーキャリアの説明図である。
【図３】変形例１の母子間冷却パッド、ベビーキャリアの説明図である。
【図４】変形例２の母子間冷却パッド、ベビーキャリアの説明図である。
【発明を実施するための形態】
【００１７】
本発明の母子間冷却パッド、ベビーキャリアの実施形態を添付の図面を参照しながら、以下詳細に説明する。
【００１８】
［母子間冷却パッド１０］
図１は母子間冷却パッドの説明図であり、（１）は正面図、（２）は側面の一部断面図である。母子間冷却パッド１０は、パッド本体２０と、空気流通部３０と、吸排気部４０と、着脱部５０を主な基本構成としている。
【００１９】
パッド本体２０は、母子間の接触箇所に相当する任意の形状、面積のパッドであり、所定厚みの表生地と裏生地の周縁を張り合わせる、又は縫い合わせるなどして形成している。パッド本体２０は、表生地と裏生地の間に後述する空気流通部３０を形成し、上端に空気の吸排気口２２を形成している。
表生地及び裏生地は、防風性を備えた生地、接触冷感のある生地、吸湿性の生地などを用いている。
【００２０】
本実施形態の防風性を備えた生地とは、後述する空気流通部３０の空気が通過して吸排気口２２及び後述する吸排気部４０以外から漏れなければよく、一例として、通気性試験（ＪＩＳ  ｌ１０９６  Ａ法（フラジール形法））において、通気度が３０ｃｃ以下の生地を適用することができる。
また本実施形態の接触冷感のある生地とは、一例として、最大熱吸収速度（ｑ−ｍａｘ）（Ｊ／ｃｍ・ｓｅｃ）が０．２以上の生地を適用することができる。
また本実施形態の吸湿性のある生地とは、綿や麻などの植物繊維、ウールやシルクなどの動物繊維、レーヨンなどの再生繊維、吸湿性を高めたナイロンやポリエステルなどの合成繊維などを適用することができる。
【００２１】
パッド本体２０は、前述の生地を単一又は複数の重ね合わせた多層構造とすることができ、一例として、空気流通部３０の表裏面と接する面を、防風性を備えた生地とし、その生地の上、換言するとパッド本体２０の表裏面、換言すると母子との接触面を接触冷感のある生地又は吸湿性の生地とすることができる。
またパッド本体２０は上端側に支持片２４を設けて、この支持片２４の端部に後述する着脱部５０を設けている。
【００２２】
空気流通部３０は、パッド本体２０の内部、表生地と裏生地の間に形成する空気（外気）が通る通路である。本実施形態の空気流通部３０は、柔軟性のある繊維材を複数重ね合わせた多層構造、格子状に編み込んだメッシュ構造を採用し、表裏面から圧迫しても所定の弾力性（反発性）及び柔軟性を備えて空気の通路を確保している。
このような空気流通部３０は、一端側が吸排気口２２に接続し、他端側に後述する吸排気部４０を設けている。
【００２３】
吸排気部４０は、ケーシング本体に吸気口と排気口とファンとＯＮ／ＯＦＦスイッチを備え、吸気又は排気可能な小型ファンである。本実施形態の吸排気部４０はパッド本体２０の下端側の左右に２つ取り付けて、いずれか一方にバッテリーを備えるケーシング本体を、他方にバッテリーを具備しないケーシング本体を配置して、互いに配線を介して接続させて軽量化かつコンパクト化している。なお本発明において吸排気部４０は、１つもしくは３つ以上設けても良い。
【００２４】
着脱部５０は、支持片２４の上端に設けた凹凸フックなどによる着脱式の固定バンドである。この着脱部５０を用いて、後述するベビーキャリアのショルダーストラップに固定することができる。
このような構成の母子間冷却パッド１０は、柔軟性を有し身体にフィットしやすい。またコンパクトに折り畳むことができて利便性・収納性がよい。
【００２５】
［ベビーキャリア１００］
図２は本発明のベビーキャリアの説明図であり、（１）は斜視図、（２）は使用者に装着した側面図である。ベビーキャリア１００は、キャリア本体１１０と、ショルダーストラップ１３０と、腰ベルト１４０を主な基本構成としている。
キャリア本体１１０は、乳幼児の正面又は背面を覆う任意の形状であり、所定の強度を有する生地を用いて形成している。
【００２６】
ショルダーストラップ１３０は、キャリア本体１１０の上端から延出して先端がキャリア本体の側部に接続した一対のストラップであり、使用者の両肩に引っ掛けて固定することができる。
腰ベルト１４０は、キャリア本体１１０の下端に取り付けて両先端に止め具を形成して、使用者の腰周りに固定することができる。
【００２７】
本実施形態のベビーキャリア１００は、前述の母子間冷却パッド１０を備えた一体構造、又は母子間冷却パッドを着脱可能に取り付けた着脱構造を採用している。
一体構造は、キャリア本体１１０の下端の母子側に母子間冷却パッド１０の端部を固定した構造となる。
着脱構造は、図２に示すようにキャリア本体１１０と母子間に母子間冷却パッド１０を配置して、着脱部５０をショルダーストラップ１３０に固定している。
このような構成のベビーキャリアは、母子間に配置する空気流通部を強制的に吸排気しているため、温度上昇を抑えて冷却効果を高めることができる。
【００２８】
［作用］
本発明の母子間冷却パッド１０は、ベビーキャリア１００と一体型又はベビーキャリア１００に着脱可能な着脱型のいずれかの形態を採用して、使用者が乳幼児を背負ったり、抱きかかえたりしたときに母子間の間で挟むように配置する。
吸排気部４０を稼働させると直ちにパッド本体２０上部の吸排気口２２から吸気された空気が空気流通部３０を通過して下部の吸排気部４０から外部へ排出、又はパッド本体２０下部の吸排気部４０から吸気された空気が空気流通部３０を通過して上部の吸排気口２２から外部へ排出される。このとき母子間の発熱を空気が吸収して外部に排出される。これにより、母子間に配置する空気流通部を強制的に吸排気しているため、温度上昇を抑えて冷却効果を高めることができる。またフレッシュな空気を吸排気部により空気流通部に吸排気し続ければ冷却効果を長時間維持することができる。
【００２９】
［変形例］
図３は変形例１の母子間冷却パッド及びベビーキャリアの説明図であり、（１）は斜視図、（２）は使用者に装着した側面図である。
母子間冷却パッド１０Ａは支持片及び着脱部を具備しておらず、パッド本体２０Ａを使用者の溝落ちとベビーキャリア１００の腰ベルト１４０の間に挿入可能な形状に形成している。
【００３０】
図４は変形例２の母子間冷却パッド及びベビーキャリアの説明図であり、（１）は斜視図、（２）は使用者に装着した側面図である。
母子間冷却パッド１０Ｂ及びベビーキャリア１００Ｂは、変形例１と同様にパッド本体２０Ｂを使用者の溝落ちとベビーキャリア１００Ｂの腰ベルト１４０の間に挿入可能な形状に形成している。そしてパッド本体２０Ｂの下端側中央に吸排気部４０Ｂを１つ設けて、またベビーキャリア１００Ｂのキャリア本体１１０Ｂにスリット１１１を設けている。そして母子間冷却パッド１０Ｂの吸排気部４０Ｂを母子側からスリット１１１に差し込んで外部へ露出させた構成を採用している。
【００３１】
このような構成の変形例の母子間冷却パッド及びベビーキャリアによれば、母子間に配置する空気流通部を強制的に吸排気しているため、温度上昇を抑えて冷却効果を高めることができる。また冷却効果を長時間維持することができる。また既存のベビーキャリアに容易に取り付けることができる。
【産業上の利用可能性】
【００３２】
本発明は、特に乳幼児が対象となるベビーキャリア、チャイルドシート、椅子、寝具などの分野において産業上の利用可能性を有する。
【符号の説明】
【００３３】
１０，１０Ａ，１０Ｂ………母子間冷却パッド、２０………パッド本体、２２………吸排気口、２４………支持片、３０………空気流通部、４０………吸排気部、５０………着脱部、１００，１００Ｂ………ベビーキャリア、１１０………キャリア本体、１３０………ショルダーストラップ、１４０………腰ベルト。
【図１】
2018038576.tif 000003
【図２】
2018038576.tif 000004
【図３】
2018038576.tif 000005
【図４】
2018038576.tif 000006